(57)【要約】      （修正有）【課題】触媒性能の確認作業の手間を省くことができる、触媒コンバータと触媒マフラの製造方法を提供する。【解決手段】触媒収容室１４に触媒１０を収容した触媒コンバータ１１と、触媒収容室に触媒を収容し、触媒収容室の出口側に消音室を配置した、触媒マフラとを製造する、触媒コンバータと触媒マフラの製造方法において、触媒コンバータ１１と触媒マフラの各触媒室１４の各入口側からそれぞれ入口管を導出させるに当たり、各入口管の内径寸法を一致させ、各触媒１０に同じものを用いる。【選択図】図１６
2011247230.tif 000002
【特許請求の範囲】
【請求項１】
触媒収容室(１４)に触媒(１０)を収容した触媒コンバータ(１１)と、触媒収容室(１４)に触媒(１０)を収容し、触媒収容室(１４)の出口側に消音室(１７)を配置した、触媒マフラ(１３)とを製造する、触媒コンバータと触媒マフラの製造方法において、
触媒コンバータ(１１)と触媒マフラ(１３)の各触媒室(１４)の各入口側からそれぞれ入口管(６)(３０)を導出させるに当たり、
各入口管(６)(３０)の内径寸法を一致させ、各触媒(１０)に同じものを用いる、ことを特徴とする触媒コンバータと触媒マフラの製造方法。
【請求項２】
請求項１に記載した触媒コンバータと触媒マフラの製造方法において、
触媒コンバータ(１１)と触媒マフラ(１３)の各入口管(６)(３０)の内部形状も一致させる、ことを特徴とする触媒コンバータと触媒マフラの製造方法。
【請求項３】
請求項１または請求項２に記載した触媒コンバータと触媒マフラの製造方法において、
触媒コンバータ(１１)と触媒マフラ(１３)の各触媒室(１４)の各入口から円錐台筒部(６ａ)(３０ａ)を導出させ、この円錐台筒部(６ａ)(３０ａ)は導出方向に次第に縮径させ、この円錐台筒部(６ａ)(３０ａ)の導出端からそれぞれ入口管(６)(３０)を導出させるに当たり、
各円錐台筒部(６ａ)(３０ａ)の内部形状と内径寸法を一致させる、ことを特徴とする触媒コンバータと触媒マフラの製造方法。
【発明の詳細な説明】
【技術分野】
【０００１】
本発明は、触媒コンバータと触媒マフラの製造方法に関し、詳しくは、触媒性能の確認作業の手間を省くことができる、触媒コンバータと触媒マフラの製造方法に関する。
【背景技術】
【０００２】
従来、触媒収容室に触媒を収容した触媒コンバータと、触媒収容室に触媒を収容し、触媒収容室の出口側に消音室を配置した触媒マフラがある(例えば、特許文献１、２参照)。
この種の触媒コンバータと触媒マフラによれば、これらを取り付けるエンジンやそのエンジンを搭載する機械の条件に応じて、触媒コンバータと触媒マフラとを使い分けることができる利点がある。
しかし、この従来技術では、触媒コンバータと触媒マフラの構造に共通性がないため、問題がある。
【先行技術文献】
【特許文献】
【０００３】
【特許文献１】特開２００２−１５５７４０号公報(図２参照)
【０００４】
【特許文献２】特開平１０−１４１０５０号公報(図１参照)
【発明の概要】
【発明が解決しようとする課題】
【０００５】
《問題》  触媒性能の確認作業に手間がかかる。
触媒コンバータと触媒マフラの構造に共通性がないため、触媒コンバータと触媒マフラの触媒性能の確認作業は、それぞれ個々に行う必要があり、触媒性能の確認作業に手間がかかる。
【０００６】
本発明の課題は、触媒性能の確認作業の手間を省くことができる触媒コンバータと触媒マフラの製造方法を提供することにある。
【課題を解決するための手段】
【０００７】
請求項１に係る発明の発明特定事項は、次の通りである。
図１６に例示する触媒収容室(１４)に触媒(１０)を収容した触媒コンバータ(１１)と、図１８、図１９に例示する触媒収容室(１４)に触媒(１０)を収容し、触媒収容室(１４)の出口側に消音室(１７)を配置した、触媒マフラ(１３)とを製造する、触媒コンバータと触媒マフラの製造方法において、
図１６、図１８、図１９に例示するように、触媒コンバータ(１１)と触媒マフラ(１３)の各触媒室(１４)の各入口側からそれぞれ入口管(６)(３０)を導出させるに当たり、
各入口管(６)(３０)の内径寸法を一致させ、各触媒(１０)に同じものを用いる、ことを特徴とする触媒コンバータと触媒マフラの製造方法。
【発明の効果】
【０００８】
(請求項１に係る発明)
請求項１に係る発明は、次の効果を奏する。
《効果》  触媒性能の確認作業の手間を省くことができる。
図１６、図１８、図１９に例示するように、各入口管(６)(３０)の内径寸法を一致させ、各触媒(１０)に同じものを用いるため、触媒(１０)を通過する排気ガスの流量や排気ガスと触媒(１０)との接触状態に大きな差異がなくなり、触媒触媒コンバータ(１１)と触媒マフラ(１３)の触媒性能のいずれか一方の触媒性能の確認作業を行えば、他方の触媒性能は同程度であることが推定でき、触媒性能の確認作業の手間を省くことができる。
【０００９】
(請求項２に係る発明)
請求項２に係る発明は、請求項１に係る発明の効果に加え、次の効果を奏する。
《効果》  触媒コンバータと触媒マフラとの触媒性能の同一性が高まる。
図１６、図１８に例示するように、触媒コンバータ(１１)と触媒マフラ(１３)の各入口管(６)の内部形状も一致させるので、排気ガスの導入状態の差異が小さくなり、触媒(１０)を通過する排気ガスの流量や排気ガスと触媒(１０)との接触状態の同一性が高まり、触媒コンバータ(１１)と触媒マフラ(１３)との触媒性能の同一性が高まる
【００１０】
(請求項３に係る発明)
請求項３に係る発明は、請求項１または請求項２に係る発明の効果に加え、次の効果を奏する。
《効果》  各触媒室の入口から円錐台筒部を導出させた場合でも、触媒コンバータと触媒マフラとの触媒性能の同一性が高まる。
図１６、図１８、図１９に例示するように、各円錐台筒部(６ａ)(３０ａ)の内部形状と内径寸法を一致させたので、排気ガスの導入状態の差異が小さくなり、各触媒室(１４)の入口から円錐台筒部(６ａ)(３０ａ)を導出させた場合でも、触媒(１０)を通過する排気ガスの流量や排気ガスと触媒(１０)との接触状態の同一性が高まり、触媒コンバータ(１１)と触媒マフラ(１３)との触媒性能の同一性が高まる。
【図面の簡単な説明】
【００１１】
【図１】本発明の実施形態に係る製造方法で得られた触媒コンバータを取り付けた横外側上向き触媒コンバータ付きエンジンの斜視図である。
【図２】上記製造方法で得られた触媒コンバータを取り付けた横外側後向き触媒コンバータ付きエンジンの斜視図である。
【図３】上記製造方法で得られた触媒コンバータを取り付けた横外側下向き触媒コンバータ付きエンジンの斜視図である。
【図４】上記製造方法で得られた触媒コンバータを取り付けた上側後向き触媒コンバータ付きエンジンの斜視図である。
【図５】上記製造方法で得られた触媒コンバータを取り付けた上側横外向き触媒コンバータ付きエンジンの斜視図である。
【図６】上記製造方法で得られた触媒コンバータを取り付けた上側前向き触媒コンバータ付きエンジンの斜視図である。
【図７】上記製造方法で得られた触媒マフラを取り付けた横外側上向き触媒マフラ付きエンジンの斜視図である。
【図８】上記製造方法で得られた触媒マフラを取り付けた横外側後向き触媒マフラ付きエンジンの斜視図である。
【図９】上記製造方法で得られた触媒マフラを取り付けた横外側下向き触媒マフラ付きエンジンの斜視図である。
【図１０】上記製造方法で得られた触媒マフラを取り付けた上側後向き触媒マフラ付きエンジンの斜視図である。
【図１１】上記製造方法で得られた触媒マフラを取り付けた上側横外向き触媒マフラ付きエンジンの斜視図である。
【図１２】上記製造方法で得られた触媒マフラを取り付けた横内側横内向き触媒マフラ付きエンジンの斜視図である。
【図１３】上記製造方法で得られた触媒コンバータや触媒マフラを取り付ける横外側出口排気マニホルドを説明する図で、図１３(Ａ)は側面図、図１３(Ｂ)は平面図、図１３(Ｃ)は図１３(Ｂ)のＣ方向矢視図、図１３(Ｄ)は図１３(Ｂ)のＤ方向矢視図である。
【図１４】上記製造方法で得られた触媒コンバータや触媒マフラを取り付ける上側出口排気マニホルドを説明する図で、図１４(Ａ)は側面図、図１４(Ｂ)は平面図、図１４(Ｃ)は図１４(Ｂ)のＣ方向矢視図、図１４(Ｄ)は図１４(Ｂ)のＤ方向矢視図である。
【図１５】上記製造方法で得られた触媒コンバータや触媒マフラを取り付ける横内側出口排気マニホルドを説明する図で、図１５(Ａ)は側面図、図１５(Ｂ)は平面図、図１４(Ｃ)は図１４(Ａ)のＣ方向矢視図である。
【図１６】本発明の実施形態に係る製造方法で得られた触媒コンバータを説明する図で、図１６(Ａ)は縦断面図、図１６(Ｂ)は図１６(Ａ)のＢ方向矢視図、図１６(Ｃ)は図１６(Ａ)のＣ方向から見た排気入口フランジの図である。
【図１７】上記製造方法で得られた触媒コンバータとともに用いるマフラを説明する図で、図１７(Ａ)は縦断面図、図１７(Ｂ)は図１７(Ａ)のＢ方向から見た排気入口フランジの図である。
【図１８】本発明の実施形態に係る製造方法で得られたエルボ入口管触媒マフラを説明する図で、図１８(Ａ)は縦断面図、図１８(Ｂ)は図１８(Ａ)のＢ方向矢視図、図１８(Ｃ)は図１８(Ａ)のＣ−Ｃ線断面図、図１８(Ｄ)は図１８(Ａ)のＤ−Ｄ線断面図である。
【図１９】本発明の実施形態に係る製造方法で得られた直進入口管触媒マフラを説明する図で、図１９(Ａ)は縦断面図、図１９(Ｂ)は図１９(Ａ)のＢ方向から見た排気入口フランジの図、図１９(Ｃ)は図１９(Ａ)のＣ−Ｃ線断面図、図１９(Ｄ)は図１９(Ａ)のＤ−Ｄ線断面図である。
【発明を実施するための形態】
【００１２】
図１〜図１２は本発明の実施形態に係る製造方法で得られた触媒コンバータや触媒マフラを取り付けたエンジンを説明する図、図１３〜図１５は本発明の実施形態に係る製造方法で得られた触媒コンバータや触媒マフラを取り付ける排気マニホルドを説明する図、図１６、図１８、図１９は本発明の実施形態に係る製造方法で得られた触媒コンバータと触媒マフラを説明する図である。
ここでは、触媒コンバータと触媒マフラの製造方法に先立ち、この触媒コンバータや触媒マフラを用いたエンジンの造り分け方法について説明し、その後に、触媒コンバータと触媒マフラの製造方法について説明する。
【００１３】
(エンジンの造り分け方法)
図１から図１２に示すように、シリンダヘッド(１)の横側面に排気マニホルド(２)を取り付け、この排気マニホルド(２)に排気処理装置(３)を取り付け、この排気処理装置(３)の向きが相違する複数種の排気処理装置付きエンジンを造り分けるに当たり、次のようにする。
すなわち、図１から図１１に示すように、排気マニホルド(２)に排気出口フランジ(４)を設け、排気処理装置(３)に排気入口フランジ(５)を設け、排気出口フランジ(４)に対する排気入口フランジ(５)の取り付け姿勢を選択できるようにし、この選択により、排気処理装置(３)の向きが相違する複数種の排気処理装置付きエンジンを造り分ける。これにより、エンジン搭載上の制約を受け難いエンジンを造ることができる。
【００１４】
図１から図６に例示するように、排気処理装置(３)として、触媒(１０)を収容した触媒コンバータ(１１)と、この触媒コンバータ(１１)に接続したマフラ(１２)とを用いてもよいし、図７から図１２に例示するように、触媒(１０)を収容した触媒マフラ(１３)のみを用いてもよい。
【００１５】
図１から図３は、排気マニホルド(２)の横外側に排気処理装置(３)を取り付け、この排気処理装置(３)として、触媒コンバータ(１１)と、この触媒コンバータ(１１)に接続したマフラ(１２)(以下、「触媒コンバータ(１１)等」という)とを用いた、横外側触媒コンバータ付きエンジンを示しており、図１は触媒コンバータ(１１)等が上向きの横外側上向き触媒コンバータ付きエンジン、図２は触媒コンバータ(１１)等が後向きの横外側後向き触媒コンバータ付きエンジン、図３は触媒コンバータ(１１)等が下向きの横外側下向き触媒コンバータ付きエンジンを示している。
【００１６】
図１から図３に示すように、排気マニホルド(２)の横両側のうち、シリンダヘッド(１)側とは反対側を横外側とし、排気マニホルド(２)の横外側に触媒コンバータ(１１)等を取り付け、触媒コンバータ(１１)等の向きが相違する複数種の横外側触媒コンバータ付きエンジンを造り分けるに当たり、排気マニホルド(２)として横外側出口排気マニホルド(２１)を用い、この横外側出口排気マニホルド(２１)にはその横外側に横外側方に向けた排気出口フランジ(４)を設け、触媒コンバータ(１１)から導出したエルボ入口管(６)の導出端に排気入口フランジ(５)を設け、排気出口フランジ(４)に対する排気入口フランジ(５)の取り付け姿勢の選択により、上後下３種の向きを選んで、触媒コンバータ(１１)等の向きが相違する横外側触媒コンバータ付きエンジンを造り分ける。
この横外側触媒コンバータ付きエンジンの場合、上下前後４種の向きのいずれかを選ぶことができるが、少なくとも２種の向きを選んで、触媒コンバータ(１１)等の向きが相違するものを造り分けるようにすればよい。これにより、簡単に複数種の横外側触媒コンバータ付きエンジンを造り分けることができる。
この実施形態では、エンジン冷却ファン(３３)側を前側、フライホイル(３４)側を後側としている。
【００１７】
図１から図３に示す横外側触媒コンバータ付きエンジンでは、排気マニホルド(２)として図１３に示す横外側出口排気マニホルド(２１)を用い、排気処理装置(３)として、図１６に示す触媒コンバータ(１１)と、図１７に示すマフラ(１２)とを用いている。
図１３に示す横外側出口排気マニホルド(２１)にはその横外側に横外側方に向けた排気出口フランジ(４)を設けている。
【００１８】
図１６に示す触媒コンバータ(１１)は、触媒収容室(１４)に触媒(１０)を収容し、触媒収容室(１４)の入口からエルボ入口管(６)を、触媒収容室(１４)の出口から直進出口管(１５)をそれぞれ導出し、エルボ入口管(６)の導出端に排気入口フランジ(５)を設け、直進出口管(１５)の導出端に排気出口フランジ(１６)を設けたものである。エルボ入口管(６)と直進出口管(１５)の基部はそれぞれ各導出方向に次第に縮径する円錐台部(６ａ)(１５ａ)となっている。触媒(１０)は、三元触媒で、セラミックの担体に触媒成分を担持させ、内部に排気を通過させるようになっている。
【００１９】
図１７に示すマフラ(１２)は、消音室(１７)の入口から直進入口管(１８)を、消音室(１７)の出口から直進出口管(１９)をそれぞれ導出し、直進入口管(１８)の導出端に排気入口フランジ(２０)を設けたものである。消音室(１７)は内外二重管構造で、内外に複数の膨張室(２４)を備え、その周囲は断熱室(２５)で取囲んでいる。
【００２０】
図１から図３に示す横外側触媒コンバータ付きエンジンは、図１３に示す横外側出口排気マニホルド(２１)に、図１６に示す触媒コンバータ(１１)と、図１７に示すマフラ(１２)とを順に取り付けたものである。
すなわち、図１から図３に示すように、横外側出口排気マニホルド(２１)の排気出口フランジ(４)に触媒コンバータ(１１)の排気入口フランジ(５)を取り付け、触媒コンバータ(１１)の排気出口フランジ(１６)にマフラ(１２)の排気入口フランジ(２０)を取り付けている。
図１から図３に示すように、横外側出口排気マニホルド(２１)の排気出口フランジ(４)と触媒コンバータ(１１)の排気入口フランジ(５)の周縁にその周方向に沿って９０°毎に４個の被締結部(７)(８)を配置し、排気入口フランジ(５)の被締結部(７)を排気出口フランジ(４)の被締結部(８)に対して９０°単位でずらすことにより、排気出口フランジ(４)に対する排気入口フランジ(５)の取り付け姿勢を選択できるようにしている。これにより、正確に触媒コンバータ(１１)等の向きを設定することができる。
【００２１】
図１から図３に示すように、被締結部(７)(８)は、いずれも方形の排気出口フランジ(４)と排気入口フランジ(５)の角部であり、図１３、図１６に示すボルト挿通孔(７ａ)(８ａ)を備え、相互に位置合わせしたボルト挿通孔(７ａ)(８ａ)に挿通させたボルトナット(２６)で排気出口フランジ(４)と排気入口フランジ(５)を締結する。
【００２２】
図４から図６は、排気マニホルド(２)の上側に排気処理装置(３)を取り付け、この排気処理装置(３)として、触媒コンバータ(１１)と、この触媒コンバータ(１１)に接続したマフラ(１２)とを用いた、上側触媒コンバータ付きエンジンを示しており、図４は触媒コンバータ(１１)等が後向きの上側後向き触媒コンバータ付きエンジン、図５は触媒コンバータ(１１)等が横外向きの上側横外向き触媒コンバータ付きエンジン、図６は触媒コンバータ(１１)等が前向きの上側前向き触媒コンバータ付きエンジンを示している。
【００２３】
図４から図６に示すように、排気マニホルド(２)の上側に触媒コンバータ(１１)等を取り付け、触媒コンバータ(１１)等の向きが相違する複数種の上側触媒コンバータ付きエンジンを造り分けるに当たり、排気マニホルド(２)として上側出口排気マニホルド(２２)を用い、この上側出口排気マニホルド(２２)にはその上側に上側方に向けた排気出口フランジ(４)を設け、触媒コンバータ(１１)から導出したエルボ入口管(６)の導出端に排気入口フランジ(５)を設け、排気マニホルド(２)の横両側のうち、シリンダヘッド(１)側とは反対側を横外側とし、排気出口フランジ(４)に対する排気入口フランジ(５)の取り付け姿勢の選択により、横外・前・後３種の向きを選んで、触媒コンバータ(１１)等の向きが相違する複数種の上側触媒コンバータ付きエンジンを造り分けている。この上側触媒コンバータ付きエンジンの場合、横外・前・後３種の向きのいずれかを選ぶことができるが、少なくとも２種の向きを選んで、触媒コンバータ(１１)等の向きが相違するものを造り分けるようにすればよい。これにより、簡単に複数種の上側触媒コンバータ付きエンジンを造り分けることができる。
【００２４】
図４から図６に示す上側触媒コンバータ付きエンジンでは、排気マニホルド(２)として、図１４に示す上側出口排気マニホルド(２２)を用い、排気処理装置(３)として、図１６に示す触媒コンバータ(１１)と、図１７に示すマフラ(１２)とを用いている。
図１４に示す上側出口排気マニホルド(２２)には上側に上側方に向けた排気出口フランジ(４)を設けている。
【００２５】
図４から図６に示す上側触媒コンバータ付きエンジンは、図１４に示す上側出口排気マニホルド(２２)に、図１６に示す触媒コンバータ(１１)と、図１７に示すマフラ(１２)とを順に取り付けたものである。
すなわち、図４から図６に示すように、上側出口排気マニホルド(２２)の排気出口フランジ(４)に触媒コンバータ(１１)の排気入口フランジ(５)を取り付け、触媒コンバータ(１１)の排気出口フランジ(１６)にマフラ(１２)の排気入口フランジ(２０)を取り付けている。
図４から図６に示すように、上側出口排気マニホルド(２２)の排気出口フランジ(４)と触媒コンバータ(１１)の排気入口フランジ(５)の周縁にその周方向に沿って９０°毎に４個の被締結部(７)(８)を配置し、排気入口フランジ(５)のボルト締結部(７)を排気出口フランジ(５)のボルト締結部(８)に対して９０°単位でずらすことにより、排気出口フランジ(４)に対する排気入口フランジ(５)の取り付け姿勢を選択できるようにしている。これにより、正確に触媒コンバータ(１１)の向きを設定することができる。
【００２６】
図４から図６に示すように、被締結部(７)(８)は、いずれも方形の排気出口フランジ(４)と排気入口フランジ(５)の角部であり、図１４、図１６に示すボルト挿通孔(７ａ)(８ａ)を備え、相互に位置合わせしたボルト挿通孔(７ａ)(８ａ)に挿通させたボルトナット(２６)で排気出口フランジ(４)と排気入口フランジ(５)とを締結する。
【００２７】
図７から図９は、排気マニホルド(２)の横外側に排気処理装置(３)を取り付け、この排気処理装置(３)として触媒マフラ(１３)を用いた、横外側触媒マフラ付きエンジンを示しており、図７は触媒マフラ(１３)が上向きの横外側上向き触媒マフラ付きエンジン、図８は触媒マフラ(１３)が後向きの横外側後向き触媒マフラ付きエンジン、図９は触媒マフラ(１３)が下向きの横外側下向き触媒マフラ付きエンジンを示している。
【００２８】
図７から図９に示すように、排気マニホルド(２)の横両側のうち、シリンダヘッド(１)側とは反対側を横外側とし、排気マニホルド(２)の横外側に触媒マフラ(１３)を取り付け、触媒マフラ(１３)の向きが相違する複数種の横外側触媒マフラ付きエンジンを造り分けるに当たり、排気マニホルド(２)として横外側出口排気マニホルド(２１)を用い、この横外側出口排気マニホルド(２１)にはその横外側に横外側方に向けた排気出口フランジ(４)を設け、触媒マフラ(１３)から導出したエルボ入口管(６)の導出端に排気入口フランジ(５)を設け、排気出口フランジ(４)に対する排気入口フランジ(５)の取り付け姿勢の選択により、上後下３種の向きを選んで、触媒マフラ(１３)の向きが相違する横外側触媒マフラ付きエンジンを造り分ける。
この横外側触媒マフラ付きエンジンの場合、上下前後４種の向きのいずれかを選ぶことができるが、少なくとも２種の向きを選んで、触媒マフラ(１３)の向きが相違するものを造り分けるようにすればよい。これにより、簡単に複数種の横外側触媒マフラ付きエンジンを造り分けることができる。
この実施形態では、エンジン冷却ファン(３３)側を前側、フライホイル(３４)側を後側としている。
【００２９】
図７から図９に示す横外側触媒マフラ付きエンジンでは、排気マニホルド(２)として図１３に示す横外側出口排気マニホルド(２１)を用い、排気処理装置(３)として図１８に示すエルボ入口管(６)を備えた触媒マフラ(１３)を用いている。
【００３０】
図１８に示すエルボ入口管(６)を備えた触媒マフラ(１３)は、触媒収容室(１４)に触媒(１０)を収容し、触媒収容室(１４)の出口側に消音室(１７)を配置し、触媒収容室(１４)の出口と消音室(１７)の入口とを連通させ、触媒収容室(１４)の入口から円錐台筒部(６ａ)を導出し、この円錐台筒部(６ａ)の導出端からエルボ入口管(６)を導出し、エルボ入口管(６)の導出端に排気入口フランジ(５)を設け、消音室(１７)の出口から直進出口管(１５)を導出したものである。円錐台筒部(６ａ)は、その導出方向に進むにつれて次第に縮径する形状となっている。触媒収容室(１４)と消音室(１７)との間にはパンチングメタルの隔壁(２８)を配置し、消音室(１７)内にもパンチングメタルの隔壁(２９)を配置している。触媒収容室(１４)と消音室(１７)の周囲は断熱室(２５)で取囲んでいる。この断熱室(２５)には断熱材(２７)を収容している。断熱材(２７)にはグラスウールを用いている。
【００３１】
図７から図９に示す横外側触媒マフラ付きエンジンは、図１３に示す横外側出口排気マニホルド(２１)に図１８に示すエルボ入口管(６)を備えた触媒マフラ(１３)を取り付けたものである。
すなわち、図７から図９に示すように、横外側出口排気マニホルド(２１)の排気出口フランジ(４)にエルボ入口管(６)を備えた触媒マフラ(１３)の排気入口フランジ(５)を接続している。
図７から図９に示すように、横外側出口排気マニホルド(２１)の排気出口フランジ(４)と触媒マフラ(１３)の排気入口フランジ(５)の周縁にその周方向に沿って９０°毎に４個の被締結部(７)(８)を配置し、排気入口フランジ(５)の被締結部(７)を排気出口フランジ(５)の被締結部(８)に対して９０°単位でずらすことにより、排気出口フランジ(４)に対する排気入口フランジ(５)の取り付け姿勢を選択できるようにしている。これにより、正確に触媒マフラ(１３)の向きを設定することができる。
【００３２】
図７から図９に示すように、被締結部(７)(８)は、方形または略方形の排気出口フランジ(４)と排気入口フランジ(５)の角部であり、図１３、図１８に示すボルト挿通孔(７ａ)(８ａ)を備え、相互に位置合わせしたボルト挿通孔(７ａ)(８ａ)に挿通させたボルトナット(２６)で排気出口フランジ(４)と排気入口フランジ(５)とを締結する。
【００３３】
図１０と図１１は、排気マニホルド(２)の上側に排気処理装置(３)を取り付け、この排気処理装置(３)として触媒マフラ(１３)を用いた、上側触媒マフラ付きエンジンを示しており、図１０は触媒マフラ(１３)が後向きの上側後向き触媒マフラ付きエンジン、図１１は触媒マフラ(１３)が横外向きの上側横外向き触媒マフラ付きエンジンを示している。
【００３４】
図１０と図１１に示すように、排気マニホルド(２)の上側に触媒マフラ(１３)を取り付け、触媒マフラ(１３)の向きが相違する複数種の上側触媒マフラ付きエンジンを造り分けるに当たり、排気マニホルド(２)として上側出口排気マニホルド(２２)を用い、この上側出口排気マニホルド(２２)にはその上側に上側方に向けた排気出口フランジ(４)を設け、触媒マフラ(１３)から導出したエルボ入口管(６)の導出端に排気入口フランジ(５)を設け、排気マニホルド(２)の横両側のうち、シリンダヘッド(１)側とは反対側を横外側とし、排気出口フランジ(４)に対する排気入口フランジ(５)の取り付け姿勢の選択により、横外・後２種の向きを選んで、触媒マフラ(１３)の向きが相違するエンジンを造り分けている。この上側触媒マフラ付きエンジンの場合、横外・前・後３種の向きのいずれかを選ぶことができるが、少なくとも２種の向きを選んで、触媒マフラ(１３)の向きが相違するものを造り分けるようにすればよい。これにより、簡単に複数種の上側触媒マフラ付きエンジンを造り分けることができる。
【００３５】
図１０と図１１に示す上側触媒マフラ付きエンジンでは、排気マニホルド(２)として図１４に示す上側出口排気マニホルド(２２)を用い、排気処理装置(３)として図１８に示すエルボ入口管(６)を備えた触媒マフラ(１３)を用いている。
【００３６】
図１０と図１１に示す上側触媒マフラ付きエンジンは、図１４に示す上側出口排気マニホルド(２２)に、図１８に示すエルボ入口管(６)を備えた触媒マフラ(１３)を取り付けたものである。
すなわち、図１０と図１１に示すように、上側出口排気マニホルド(２２)の排気出口フランジ(４)にエルボ入口管(６)を備えた触媒マフラ(１３)の排気入口フランジ(５)を取り付けている。
図１０と図１１に示すように、上側出口排気マニホルド(２２)の排気出口フランジ(４)と触媒マフラ(１３)の排気入口フランジ(５)の周縁にその周方向に沿って９０°毎に４個の被締結部(７)(８)を配置し、排気入口フランジ(５)の被締結部(７)を排気出口フランジ(５)の被締結部(８)に対して９０°単位でずらすことにより、排気出口フランジ(４)に対する排気入口フランジ(５)の取り付け姿勢を選択できるようにしている。これにより、正確に触媒マフラ(１３)の向きを設定することができる。
【００３７】
図１０と図１１に示すように、被締結部(７)(８)は、方形または略方形の排気出口フランジ(４)と排気入口フランジ(５)の角部であり、図１４、図１８に示すボルト挿通孔(７ａ)(８ａ)を備え、相互に位置合わせしたボルト挿通孔(７ａ)(８ａ)に挿通させたボルトナット(２６)で排気出口フランジ(４)と排気入口フランジ(５)とを締結する。
【００３８】
図１２は、排気マニホルド(２)の横内側に排気処理装置(３)を取り付け、この排気処理装置(３)として触媒マフラ(１３)を用いた、横内側触媒マフラ付きエンジンを示している。
図１２に示すように、排気マニホルド(２)の横両側のうち、シリンダヘッド(１)側を横内側、反対側を横外側とし、排気マニホルド(２)の横内側に触媒マフラ(１３)を取り付ける横内側触媒マフラ付きエンジンを、前記横外側または上側触媒コンバータ付きエンジンや前記前記横外側または上側触媒マフラ付きエンジンとは別種の横内側横内向き触媒マフラ付きエンジンとして造り分けるに当たり、次のようにする。
横内側触媒マフラ付きエンジンを造り分ける場合には、排気マニホルド(２)として横内側出口排気マニホルド(２３)を選んで用い、この横内側出口排気マニホルド(２３)にはその後部から横内側方に導出したエルボ出口部(９)の導出端に横内側方に向けた排気出口フランジ(４)を設け、触媒マフラ(１３)の横外側端部に横外側方に向けた排気入口フランジ(５)を設け、排気出口フランジ(４)への排気入口フランジ(５)の取り付けにより、シリンダヘッド(１)の後方で触媒マフラ(１３)が横内向きとなる横内側横内向き触媒マフラ付きエンジンを造り分ける。
【００３９】
図１２に示す横内側横内向き触媒マフラ付きエンジンでは、排気マニホルド(２)として、図１５に示す横内側出口排気マニホルド(２３)を用い、排気処理装置(３)として、図１９に示す直進入口管(３０)を備えた触媒マフラ(１３)を用いている。
【００４０】
図１９に示す直進入口管(３０)を備えた触媒マフラ(１３)は、図１８に示す触媒マフラ(１３)のエルボ入口管(６)を直進入口管(３０)に変え、他の構成を同じにしたものである。
図１９に示す触媒マフラ(１３)の触媒収容室(１４)の入口から導出した円筒筒部(３0ａ)はその導出方向に進むにつれて次第に縮径する形状となっている。
【００４１】
図１２に示す横内側横内向き触媒マフラエンジンは、図１５に示す横内側出口排気マニホルド(２３)に図１９に示す直進入口管(３０)を備えた触媒マフラ(１３)を取り付けたものである。
すなわち、図１２に示すように、横内側出口排気マニホルド(２３)の排気出口フランジ(４)に直進入口管(３０)を備えた触媒マフラ(１３)の排気入口フランジ(５)を接続している。
図１２に示すように、横内側出口排気マニホルド(２３)の排気出口フランジ(４)と触媒マフラ(１３)の排気入口フランジ(５)の周縁にその周方向に沿って１２０°毎に３個の被締結部(７)(８)を配置している。
図１２に示すように、被締結部(７)(８)は、いずれも略三角形の排気出口フランジ(４)と排気入口フランジ(５)の角部であり、図１５、図１９に示すボルト挿通孔(７ａ)(８ａ)を備え、相互に位置合わせしたボルト挿通孔(７ａ)(８ａ)に挿通させたボルトナット(図外)で排気出口フランジ(４)と排気入口フランジ(５)を締結する。
【００４２】
図１から図１２に示す各エンジンの造り分けに当たり、図１３から図１９に示す排気マニホルド(２)、触媒コンバータ(１１)、マフラ(１２)、触媒マフラ(１３)以外の部品、すなわち、シリンダヘッド(１)、ヘッドカバー(３１)、シリンダブロック(３２)等の部品は、共通のものを用いる。
【００４３】
(触媒コンバータと触媒マフラの製造方法)
図１６に示す触媒収容室(１４)に触媒(１０)を収容した触媒コンバータ(１１)と、図１８、図１９に示す触媒収容室(１４)に触媒(１０)を収容し、触媒収容室(１４)の出口側に消音室(１７)を配置した、触媒マフラ(１３)とを製造する、触媒コンバータと触媒マフラの製造方法において、次のようにする。
すなわち、図１６、図１８、図１９に例示するように、触媒コンバータ(１１)と触媒マフラ(１３)の各触媒室(１４)の各入口側からそれぞれ入口管(６)(３０)を導出させるに当たり、各入口管(６)(３０)の内径寸法を一致させ、各触媒(１０)に同じものを用いる。
これにより、触媒(１０)を通過する排気ガスの流量や排気ガスと触媒(１０)との接触状態に大きな差異がなくなり、触媒触媒コンバータ(１１)と触媒マフラ(１３)の触媒性能のいずれか一方の触媒性能の確認作業を行えば、他方の触媒性能は同程度であることが推定でき、触媒性能の確認作業の手間を省くことができる。
各触媒(１０)に同じもの、すなわち、形状、寸法、構造、触媒担体や触媒成分の素材や量等が同じものを用いる。
【００４４】
また、図１６、図１８に示すように、触媒コンバータ(１１)と触媒マフラ(１３)の各入口管(６)の内部形状も一致させる。すなわち、各入口管(６)は内部形状も内径寸法も一致するエルボ入口管(６)とする。これにより、排気ガスの導入状態の差異が小さくなり、触媒(１０)を通過する排気ガスの流量や排気ガスと触媒(１０)との接触状態の同一性が高まり、触媒コンバータ(１１)と触媒マフラ(１３)との触媒性能の同一性が高まる。
【００４５】
また、図１６、図１８、図１９に示すように、触媒コンバータ(１１)と触媒マフラ(１３)の各触媒室(１４)の各入口から円錐台筒部(６ａ)(３０ａ)を導出させ、この円錐台筒部(６ａ)(３０ａ)は導出方向に次第に縮径させ、この円錐台筒部(６ａ)(３０ａ)の導出端からそれぞれ入口管(６)(３０)を導出させるに当たり、各円錐台筒部(６ａ)(３０ａ)の内部形状と内径寸法を一致させる。これにより、排気ガスの導入状態の差異が小さくなり、各触媒室(１４)の入口から円錐台筒部(６ａ)(３０ａ)を導出させた場合でも、触媒(１０)を通過する排気ガスの流量や排気ガスと触媒(１０)との接触状態の同一性が高まり、触媒コンバータ(１１)と触媒マフラ(１３)との触媒性能の同一性が高まる。
【符号の説明】
【００４６】
(６) エルボ入口管
(６ａ) 円錐台筒部
(１０) 触媒
(１１) 触媒コンバータ
(１３) 触媒マフラ
(１４) 触媒収容室
(１７) 消音室
(３０) 直進入口管
(３０ａ) 円錐台筒部
【図１】
2011247230.tif 000003
【図２】
2011247230.tif 000004
【図３】
2011247230.tif 000005
【図４】
2011247230.tif 000006
【図５】
2011247230.tif 000007
【図６】
2011247230.tif 000008
【図７】
2011247230.tif 000009
【図８】
2011247230.tif 000010
【図９】
2011247230.tif 000011
【図１０】
2011247230.tif 000012
【図１１】
2011247230.tif 000013
【図１２】
2011247230.tif 000014
【図１３】
2011247230.tif 000015
【図１４】
2011247230.tif 000016
【図１５】
2011247230.tif 000017
【図１６】
2011247230.tif 000018
【図１７】
2011247230.tif 000019
【図１８】
2011247230.tif 000020
【図１９】
2011247230.tif 000021